(57)【特許請求の範囲】
【請求項１】
複数の端末から複数の画像データを取得する画像取得手段と、
前記画像取得手段により取得され、前記複数の端末のうちの一の端末から取り込んだ画像データに基づく変更前画像が、前記画像取得手段により取得され、前記複数の端末のうちの二の端末から取り込んだ画像データに基づく変更後画像に切替ることを検知する検知手段と、
前記検知手段によって画像の切替りが検知されたときに前記変更前画像と前記変更後画像との輝度差が所定値を越え且つ前記変更前画像に対して前記変更後画像の輝度値が高いか否かを判定する判定手段と、
前記判定手段の判定結果が肯定の場合に前記変更後画像の明るさを低下方向に補正し、前記判定手段の判定結果が肯定から否定へと変化した場合に前記変更後画像の明るさを補正前の初期値に戻す補正手段と、
を備え、
前記補正手段は、前記判定手段の判定結果が肯定で前記変更後画像の明るさを低下方向に補正した後、所定時間経過後に前記変更後画像の明るさを前記初期値に戻すことを特徴とする表示制御装置。
【請求項２】
前記補正手段は、前記画像の光源の明るさを低下方向に操作することによって前記変更後画像の明るさを低下方向に補正することを特徴とする請求項１記載の表示制御装置。
【請求項３】
前記補正手段は、前記変更後画像のガンマ特性又はヒストグラムを操作することによって前記変更後画像の明るさを低下方向に補正することを特徴とする請求項１記載の表示制御装置。
【請求項４】
複数の端末から複数の画像データを取得する画像取得工程と
前記画像取得工程により取得され、前記複数の端末のうちの一の端末から取り込んだ画像データに基づく変更前画像が、前記画像取得工程により取得され、前記複数の端末のうちの二の端末から取り込んだ画像データに基づく変更後画像に切替ることを検知する検知工程と、
前記検知工程によって画像の切替りが検知されたときに前記変更前画像と前記変更後画像との輝度差が所定値を越え且つ前記変更前画像に対して前記変更後画像の輝度値が高いか否かを判定する判定工程と、
前記判定工程の判定結果が肯定の場合に前記変更後画像の明るさを低下方向に補正し、前記判定手段の判定結果が肯定から否定へと変化した場合に前記変更後画像の明るさを補正前の初期値に戻す補正工程と、
を含み、
前記補正工程は、前記判定工程の判定結果が肯定で前記変更後画像の明るさを低下方向に補正した後、所定時間経過後に前記変更後画像の明るさを前記初期値に戻すことを特徴とする表示制御方法。
【請求項５】
前記補正工程は、前記画像の光源の明るさを低下方向に操作することによって前記変更後画像の明るさを低下方向に補正することを特徴とする請求項４記載の表示制御方法。
【請求項６】
前記補正工程は、前記変更後画像のガンマ特性又はヒストグラムを操作することによって前記変更後画像の明るさを低下方向に補正することを特徴とする請求項４記載の表示制御方法。
【発明の詳細な説明】
【技術分野】
【０００１】
本発明は、表示制御装置及び表示制御方法に関し、詳しくは、プロジェクタ等の外部モニタと組み合わせて使用される表示制御装置及び表示制御方法に関する。
【背景技術】
【０００２】
プロジェクタ等の外部モニタは、例えば、パーソナルコンピュータの画面を拡大表示して、多くの人に見せるために用いられる。このようなモニタ装置は、１台のパーソナルコンピュータと一対一で使用されるのが一般的であるが、例えば、会議の出席者が持参した複数台のパーソナルコンピュータの画面を切り換えながら、１台の外部モニタで拡大表示することも行われている。
【０００３】
かかる一対多の使用状況においては、しばしば、画面の切り換え時に明るさが急に変化することがある。例えば、あるパーソナルコンピュータが黒背景の白文字画面を出力し、その画面に引き続き、他のパーソナルコンピュータが白背景の黒文字画面を出力した場合などである。このような場合、画面の急激な明るさの変化により、外部モニタを見ている人が一瞬の眩しさを感じて幻惑されてしまい、切り換え直後の画像情報（白背景中の黒文字）が読み取りにくくなるという不都合がある。
【０００４】
図８は、一瞬の幻惑を感じさせる画面変化の一例を示す図である。この図において、第一の画面１は黒背景に白文字の画面であり、その第一の画面１に引き続いて表示される第二の画面２は、上記とは逆に白背景に黒文字の画面である。なお、画面内の文字列（××△△・・・・）は便宜例である。
【０００５】
プロジェクタ等の外部モニタの表示情報は、紙等の印刷物と違い、発光情報であるため、人の目は、黒色（つまり最低輝度）よりも白色（つまり最大輝度）に大きな刺激を受ける。人の目の瞳孔は眩しさを感じると小さくなり、網膜に取り込む光の量を減少させて幻惑を防止する機能を有しているが、それでも一瞬の眩しさからは逃れられない。
【０００６】
そこで、画面の明るさを自動制御する第１の従来技術として、例えば、特許文献１に記載されているものが知られており、この第１の従来技術では、使用環境の明るさに応じて液晶のバックライトの明るさを制御している。
【０００７】
また、画面の明るさを自動制御する第２の従来技術として、例えば、特許文献２に記載されているものも知られており、この第２の従来技術では、表示画像の平均輝度を算出し、輝度が低い場合にはコントラスト及び明るさに関連する増幅度を高め、輝度が高い場合には増幅度を低くしている。
【０００８】
【特許文献１】特開２００２−１５６９４９号公報
【特許文献２】特開２００３−２８３９５４号公報
【発明の開示】
【発明が解決しようとする課題】
【０００９】
しかしながら、上記の第一の従来技術は、使用環境の明るさ（例えば、室内照明の明るさ）に応じて画面の明るさを制御するものであるから、前記（図８）のような第一の画面１と第二の画面２の切り換えに対応できない。室内照明が明るい場合には第一の画面１と第二の画面２の双方を暗くし、一方、室内照明が暗い場合には第一の画面１と第二の画面２の双方を明るくすることしかできないからである。
【００１０】
また、上記の第二の従来技術は、輝度が低い場合にはコントラスト及び明るさに関連する増幅度を高め、輝度が高い場合には増幅度を低くするというものであり、これを、前記（図８）のような第一の画面１と第二の画面２の切り換えに適用すると、第一の画面１の輝度が高くなり、一方、第二の画面２の輝度が低くなるので、二つの画面の急激な明るさの変化を緩和して、一瞬の幻惑を回避できるように思えるが、この第二の従来技術の思想は、文献中の段落番号「０００３」や「０００４」に記載されているように、「意図した画像より暗くなる」こと、及び、「暗い画像ではあまりにも暗くディスプレイされ、明るい画像ではあまりにも明るくディスプレイされる」ことに着目し、それらの不都合、すなわち、画像の再現性悪化の回避のみを意図した技術であって、黒背景の白文字画面（第一の画面１）から白背景の黒文字画面（第二の画面２）への切り換えに際し、一瞬の幻惑を積極的に防止しようとする思想までは含んでいない。
【００１１】
そこで、本発明は、黒背景の白文字画面（第一の画面１）から白背景の黒文字画面（第二の画面２）への切り換えに際し、一瞬の幻惑を積極的に防止して、切り換え後の画像情報を見やすく改良した表示制御装置及び表示制御方法を提供することを目的とする。
【課題を解決するための手段】
【００１２】
本発明は、複数の端末から複数の画像データを取得する画像取得手段と、前記画像取得手段により取得され、前記複数の端末のうちの一の端末から取り込んだ画像データに基づく変更前画像が、前記画像取得手段により取得され、前記複数の端末のうちの二の端末から取り込んだ画像データに基づく変更後画像に切替ることを検知する検知手段と、前記検知手段によって画像の切替りが検知されたときに前記変更前画像と前記変更後画像との輝度差が所定値を越え且つ前記変更前画像に対して前記変更後画像の輝度値が高いか否かを判定する判定手段と、前記判定手段の判定結果が肯定の場合に前記変更後画像の明るさを低下方向に補正し、前記判定手段の判定結果が肯定から否定へと変化した場合に前記変更後画像の明るさを補正前の初期値に戻す補正手段と、を備え、前記補正手段は、前記判定手段の判定結果が肯定で前記変更後画像の明るさを低下方向に補正した後、所定時間経過後に前記変更後画像の明るさを前記初期値に戻すことを特徴とするものである。
【発明の効果】
【００１３】
本発明では、スクリーン等に投影される投影画像の変更が検知されると、変更前画像と変更後画像の輝度差が所定値を越え且つ変更前画像に対して変更後画像の輝度値が高いか否かが判定される。そして、その判定結果が肯定の場合、すなわち、変更前画像と変更後画像の輝度差が所定値を越えている場合で、且つ、変更前画像に対して変更後画像の輝度値が高い場合には、前記変更後画像の明るさが低下方向に補正される。
したがって、例えば、黒背景の白文字画面（第一の画面１）から白背景の黒文字画面（第二の画面２）への切り換えに際し、変更後画像（第二の画面２）の明るさが低下方向に補正されるため、一瞬の幻惑を積極的に防止して、切り換え後の画像情報を見やすく改良した表示制御装置及び表示制御方法を提供することができる。
【発明を実施するための最良の形態】
【００１４】
以下、本発明の実施形態を、プロジェクタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１５】
まず、構成を説明する。
図１は、本実施形態のシステム構成図である。この図において、スクリーン３の近くのテーブル４の上には、端末としてのｎ台（ここでは便宜的にｎ＝４）のパーソナルコンピュータＰＣ１〜ＰＣｎと、外部モニタとしての１台のプロジェクタ５と、それらの端末及び外部モニタ間のデータ送受信を中継する、たとえば、無線ＬＡＮアクセスポイント６とが載置されている。なお、図示のユーザＵ１はパーソナルコンピュータＰＣ１の操作者、ユーザＵ２はパーソナルコンピュータＰＣ２の操作者、ユーザＵｎはパーソナルコンピュータＰＣｎの操作者である。
【００１６】
各々のパーソナルコンピュータＰＣｉ（ｉは１〜ｎ：以下同様とする）には、ウィンドウオブジェクトを表示できるＧＵＩ（グラフィカルユーザインターフェース）対応の汎用ＯＳ（たとえば、Ｗｉｎｄｏｗｓ：登録商標）と、そのＯＳ上で動作する様々なアプリケーションプログラムとが実装されており、プロジェクタ５は、各々のパーソナルコンピュータＰＣｉから適宜に出力される表示画像データ（最大でｎ個の表示画像データ）を、無線ＬＡＮアクセスポイント６を経由して取り込み、それらのｎ個の表示画像データを入力順又は任意の指定順に切り換えながらスクリーン３の上に投影表示する。
【００１７】
各々のパーソナルコンピュータＰＣｉとプロジェクタ５には、それぞれ無線ＬＡＮカードが実装されており、それらの無線ＬＡＮカードと無線ＬＡＮアクセスポイント６との間で、たとえば、国際標準（ＩＥＥＥ８０２．１１ａまたはｇ／ｂ）規格の無線通信を行い、相互にデジタルパケットデータのやり取りを行うことができるようになっている。なお、無線ＬＡＮカードの“カード”に特段の意味はない。無線ＬＡＮアクセスポイント６と対で動作する無線ＬＡＮ用のデバイスであればよく、たとえば、パーソナルコンピュータＰＣｉに内蔵されるタイプのもの、取り外し可能な形で実装あるいはケーブル接続されるタイプのもの、あるいはその他のタイプのデバイスであっても構わない。以下、無線ＬＡＮカードという場合には同様とする。
【００１８】
図２は、パーソナルコンピュータＰＣｉの簡略ブロック図である。この図において、パーソナルコンピュータＰＣｉは、ＣＰＵ７、ＲＡＭ８、ディスクコントローラ９、ディスク装置１０、ディスプレイコントローラ１１、ディスプレイ装置１２、キーボードコントローラ１３、キーボード装置１４、ポインティングデバイス装置１５、無線ＬＡＮカードを含む通信制御装置１６、メインバス１７、バスインターフェース１８および内部バス１９などを有する。
【００１９】
パーソナルコンピュータＰＣｉは、ディスク装置１０にあらかじめ格納されている通信プログラムをＲＡＭ８にロードしてＣＰＵ７で実行することにより、通信制御装置１６を介して、無線ＬＡＮアクセスポイント６にアクセスできるようになっている。
【００２０】
さらに、パーソナルコンピュータＰＣｉは、同じくディスク装置１０にあらかじめ格納されているプレゼンテーション用プログラムやワープロ用プログラムまたは表計算用プログラムあるいはその他の応用プログラムをＲＡＭ８にロードしてＣＰＵ７で実行することにより、ディスプレイ装置１２の画面上に、それらのプログラムの実行画面（ウィンドウオブジェクト）を表示できるようになっていおり、さらに、パーソナルコンピュータＰＣｉは、ディスプレイ装置１２の表示画像データを無線ＬＡＮアクセスポイント６を経由してプロジェクタ５に出力できるようになっている。
【００２１】
図３は、プロジェクタ５の内部ブロック図である。プロジェクタ５は、無線ＬＡＮカードを含む通信制御装置２０、スピーカ２１、音声処理部２２、表示駆動部２３、本体操作表示部２４（平面表示デバイス２４ａ、タッチパネル２４ｂ）、操作部２５、バッファメモリ２６、ＣＰＵ２７ａやＲＯＭ２７ｂ及びＲＡＭ２７ｃを含む中央制御部２７、入出力コネクタ２８、入出力Ｉ／Ｆ２９、画像変換部３０、ビデオＲＡＭ３１（少なくともＲ画像プレーン３１ａ、Ｇ画像プレーン３１ｂ及びＢ画像プレーン３１ｃを含む）、投影エンコーダ３２、投影駆動部３３、リフレクタ３４、光源３５、光源駆動部３５ａ、カラーホイール３６、カラーホイール駆動用モータ３７、カラーホイール回転角センサ３８、ＤＭＤ３９、投影レンズ４０、フォーカス／ズーム駆動用モータ４１、冷却ファン４２、冷却ファン駆動用モータ４３などのブロックを含む。
【００２２】
中央制御部２７は、あらかじめＲＯＭ２７ｂに書き込まれている制御プログラムをＲＡＭ２７ｃにロードして、そのプログラムをＣＰＵ２７ａで実行することにより、たとえば、表示駆動部２３を介して本体操作表示部２４の平面表示デバイス２４ａに所要の操作ボタン類をグラフィカル表示する。図１のユーザＵ１〜Ｕｎのいずれかによって任意の操作ボタンがタッチ操作されると、そのタッチ座標がタッチパネル２４ｂで検出され、中央制御部２７は、その検出座標に基づいて、タッチ操作されたボタンの種類を特定し、その特定結果に対応した制御モード（たとえば、フォーカスやズーム等の投影条件設定モード）を実行する。
【００２３】
また、中央制御部２７は、表示駆動部２３を介して本体操作表示部２４の平面表示デバイス２４ａに、入力画像の解像度や音声の有無等の設定に必要な操作ボタン類をグラフィカル表示する他、さらに、画像入力の経路選択、すなわち、入力コネクタ部２０を経由して画像を取り込むワイヤード入力か、あるいは、通信制御装置２０を経由して画像を取り込むワイヤレス入力（無線ＬＡＮ入力）かの選択に必要な操作ボタン類をグラフィカル表示する。ユーザによって任意の操作ボタンがタッチ操作されると、そのタッチ座標がタッチパネル２４ｂで検出され、中央制御部２７は、その検出座標に基づいて、タッチ操作されたボタンの種類を特定し、その特定結果に対応した入力モード設定動作を実行する。
【００２４】
たとえば、無線ＬＡＮによるワイヤレス入力の場合は、通信制御装置２０をコントロールし、無線ＬＡＮアクセスポイント６を経由して入力されるパーソナルコンピュータＰＣｉからの各入力画像と音声とを順次に取り込み、それらの入力画像をバッファメモリ２６に格納すると共に、入力音声を音声処理部２２に転送する。
【００２５】
音声処理部２２は、入力音声を増幅してスピーカ２１で拡声出力する。また、画像変換部３０は、バッファメモリ２６に格納されている各パーソナルコンピュータＰＣｉからの入力画像信号のサイズ調整と表示位置調整を行い、それらの調整後の画像信号を投影エンコーダ３２に転送する。
【００２６】
投影エンコーダ３２は、送られてきた画像信号をビデオＲＡＭ３１に展開記憶（Ｒ画像信号→Ｒ画像プレーン３１ａ、Ｇ画像信号→Ｇ画像プレーン３１ｂ、Ｂ画像信号→Ｂ画像プレーン３１ｃ）させた上で、このビデオＲＡＭ３１の各プレーンの記憶内容を、Ｒ画像信号、Ｇ画像信号及びＢ画像信号の順に読み出す。
【００２７】
投影駆動部３３は、それらのＲ画像信号、Ｇ画像信号及びＢ画像信号から構成される、たとえば、３０フレーム／秒のフレーム画面でＤＭＤ３９を駆動する。
【００２８】
ＤＭＤ３９（Digital Micro-mirror Device）は、微小な可動ミラーを多数個平面上に敷き詰めた半導体集積光スイッチである。可動ミラーの大きさは、たとえば、十数μｍ角であり、ミラーのオンとオフの状態で±１０度程度傾斜が変化するように支柱に取り付けられている。ミラーの直下にはメモリー素子が形成されており、このメモリー素子の正電界作用によってミラーのオンとオフの状態を切り換える。ＤＭＤ３９の反射光量は、ミラーをオンにしたときに最大（白階調）、オフにしたときに最小（黒階調）となるが、各ミラーのスイッチングスピード（オンとオフの切り換えスピード）を毎秒５０万回以上にすることもできるため、各ミラーのスイッチングレシオを変えることにより、ＤＭＤ３９の反射光量を中間階調（グレースケール）にすることもできる。
【００２９】
このようなＤＭＤ３９に対して、リフレクタ３４内に配置された超高圧水銀灯等の光源３５から高輝度の白色のスポット光Ｐａを照射すると、その反射光Ｐｂは、ＤＭＤ３９の各ミラーのオンオフ及びそのスイッチングレシオに対応して画素ごとに光変調（画像信号の内容で画素単位に光変調）されたものとなり、この反射光Ｐｂを投影レンズ４０を介してスクリーン３に投射することによって、そのスクリーン３に画像信号の拡大映像を投影することができる。
【００３０】
但し、図示の例では、ＤＭＤ３９の数は１個であり、また、光源３５から照射されたスポット光Ｐａは「白色光」であるから、この場合、スクリーン上にはモノクロの映像しか投影できない。そこで、実際には、光源３５の前面にカラーホイール３６を配置して、このカラーホイール３６をカラーホイール駆動用モータ３７で回転駆動するようにし、且つ、ビデオＲＡＭ３１に画像信号を展開記憶する際に、光の三原色（ＲＧＢ）ごとのビデオ信号成分（Ｒ画像信号、Ｇ画像信号、Ｂ画像信号）に分けて展開記憶するようにしている。
【００３１】
次に、作用を説明する。
図４は、プロジェクタ５の中央制御部２７で実行される制御プログラムの要部のフローチャートを示す図である。この図において、まず、中央制御部２７は、光源駆動部３５ａをコントロールして光源３５の明るさを初期値にセットする（ステップＳ１）。光源３５の明るさの初期値とは、既定の明るさ、又は、ユーザによって任意に指定された明るさ、若しくは、プロジェクタ５の使用環境光量に対応して適切に設定された明るさのことをいう。
【００３２】
光源３５の明るさを初期値にセットすると、次に、中央制御部２７は、投影画像、すなわち、ビデオＲＡＭ３１への展開画像の変更を判断する（ステップＳ２）。投影画像の変更がない場合は、そのままステップＳ１に復帰し、一方、投影画像の変更があった場合には、変更前画像と変更後画像の輝度差ΔＦを算出し（ステップＳ３）、その輝度差ΔＦが所定値ＳＬ以上であるか否かを判定する（ステップＳ４）。
【００３３】
ここで、所定値ＳＬは、変更前画像と変更後画像の輝度差ΔＦが正方向を示している場合、すなわち、変更前画像が暗く、変更後画像が明るい、「暗→明」の変化を示している場合に、その暗から明への変化に伴って一瞬の幻惑を感じさせるかどうかを判断するためのしきい値である。具体的には、図８の例のような、第一の画面１（暗画像）から第二の画面２（明画像）への変化を識別するためのしきい値であり、例えば、第一の画面１の平均輝度値をＦａ、第二の画面２の平均輝度値をＦｂとしたとき、所定値ＳＬはＦａとＦｂの差よりも若干大きい値に設定される。
【００３４】
輝度差ΔＦが所定値ＳＬ以上でない場合は、画像の変更に伴って一瞬の幻惑を感じさせないと判断し、そのままステップＳ１に復帰する一方、輝度差ΔＦが所定値ＳＬ以上である場合は、画像の変更に伴って一瞬の幻惑を感じさせる可能性があると判断し、この場合は、次に、輝度の変化方向を判定する（ステップＳ５）。
【００３５】
輝度の変化方向とは、変更前画像が暗く、変更後画像が明るい「暗→明」の変化、及び、変更前画像が明るく、変更後画像が暗い「明→暗」の変化のことをいう。「暗→明」の変化の場合は、画像の変更に伴って一瞬の幻惑を感じさせる可能性があり、その逆に、「明→暗」の変化の場合は、画像の変更に伴って一瞬の幻惑を感じさせる可能性がない。
【００３６】
本実施形態のポイントは、「暗→明」の変化が判定された場合に光源３５の明るさを下げ（ステップＳ６）、「明→暗」の変化が判定された場合に光源３５の明るさを初期値に戻す（ステップＳ７）ことにある。
【００３７】
このようにすると、例えば、図８の第一の画面１（暗画像）→第二の画面２（明画像）→第一の画面１（暗画像）の順番で投影画像の切換が行われた場合、すなわち、暗画像→明画像→暗画像の順番で投影画像の切換が行われた場合には、まず、１番目の暗画像は光源３５の初期値の明るさでスクリーン３に投影され、続く２番目の明画像は光源３５の初期値から下げられた明るさでスクリーン３に投影され、最後の３番目の暗画像は光源３５の元の明るさ（初期値の明るさ）でスクリーン３に投影されることになる。
【００３８】
したがって、とりわけ一瞬の幻惑の可能性がある１番目の暗画像から２番目の明画像への切り換えに際して、光源３５の明るさが初期値から引き下げられるので、２番目の明画像の表示輝度を低減し、幻惑の可能性を回避することができ、２番目の明画像に含まれる文字情報等の可読性を改善することができる。
【００３９】
図５は、本実施形態の作用説明図であり、上記の１番目の暗画像から２番目の明画像への切り換えの様子を示す図である。この図において、第一の画面１（暗画像）を投影しているときの光源３５の明るさは初期値であるが、それに続く第二の画面２（明画像）を投影する際の光源３５の明るさは、初期値から引き下げられて暗くなる。このため、その第二の画面２のハイライト部分である白背景部分の輝度が光源３５の明るさに対応して低下し、その結果、やや灰色がかった背景色（図ではハッチングで示している）となって、人の目に優しく映り、第二の画面２に含まれる文字情報等を読みやすくすることができるのである。
【００４０】
なお、以上の実施形態では、変更前画像と変更後画像の輝度差ΔＦが所定値ＳＬ以上のときに、その輝度の変化方向に応じて、光源３５の明るさを変化させているが、発明の思想はこれに限定されない。要は、画像の変更に伴って一瞬の幻惑を感じさせる可能性がある場合に、その可能性を排除し得る仕組みになっていればよく、例えば、以下のようにしてもよい。
【００４１】
図６は、第一の変形例を示す図である。この変形例では、光源３５の明るさを初期値のまま変えずに、その代わり、画像のガンマ特性を切り換えるようにしている。ガンマ特性とは、画像の輝度レベル（黒←→白）の入出力関係を表す特性のことである。ガンマ特性が“１”の場合は入出力が一対一の線形な関係となり、ガンマ特性が“１”未満の負の場合又は“１”を越える正の場合は、入出力が非線形な関係となる。
【００４２】
この第一の変形例においては、二つのガンマ補正特性（明画像用ガンマ補正特性と暗画像用ガンマ補正特性）を用意する。そして、輝度の変化方向が「暗→明」の場合には、明画像用ガンマ補正特性を使用して変更後画像のガンマ特性を補正し（ステップＳ６ａ）、一方、輝度の変化方向が「明→暗」の場合には、暗画像用ガンマ補正特性を使用して変更後画像のガンマ特性を補正する（ステップＳ７ａ）。
【００４３】
明画像用ガンマ補正特性は、図中の白抜き矢印アで示すように、画像の白レベル側の出力感度を低くしたものであり、暗画像用ガンマ補正特性は、図中の白抜き矢印イで示すように、画像の白レベル側の出力感度を元に戻したものである。
【００４４】
なお、ここでは、暗画像用ガンマ補正特性を線形な特性とし、明画像用ガンマ補正特性を下側に湾曲させた特性としているが、これは一例である。例えば、明画像用ガンマ補正特性をＳ字特性やその他の非線形特性としてもよい。重要な点は、明画像用ガンマ補正特性に対して暗画像用ガンマ補正特性の“白レベル側”の出力感度を低くすることにある。
【００４５】
このようにしても、第一の画面１（暗画像）から第二の画面２（明画像）に切り替わって一瞬の幻惑を感じさせる可能性がある場合には、明画像用ガンマ補正特性を使用することによって、変更後画像の白レベル側の出力感度が低下させられるため、前記の実施形態と同様に、第二の画面２のハイライト部分である白背景部分の輝度が低下し、その結果、やや灰色がかった背景色（図５のハッチング参照）となって、やはり、人の目に優しく映るようになり、第二の画面２に含まれる文字情報等を読みやすくすることができる。
【００４６】
図７は、第二の変形例を示す図である。この変形例では、光源３５の明るさを初期値のまま変えずに、その代わり、画像のヒストグラムを切り換えるようにしている。ヒストグラムとは、画像を構成する各画素の輝度値分布を示すグラフのことをいう。一般にヒストグラムの横軸は輝度値、縦軸は同一輝度値の画素の出現頻度を表す。暗画像のヒストグラムは横軸の左側（暗側）にピークを持つ特性となり、明画像のヒストグラムは横軸の右側（明側）にピークを持つ特性となる。
【００４７】
この第二の変形例においては、二つのヒストグラム（明画像用ヒストグラムと暗画像用ヒストグラム）を用意する。そして、輝度の変化方向が「暗→明」の場合には、明画像用ヒストグラムを使用して変更後画像を補正し（ステップＳ６ｂ）、一方、輝度の変化方向が「明→暗」の場合には、暗画像用ヒストグラムを使用して変更後画像を補正する（ステップＳ７ｂ）。
【００４８】
明画像用ヒストグラムは、図中の白抜き矢印ウで示すように、画像の明側ピークを暗側に若干ずらした形になっており、暗画像用ヒストグラムは、図中の白抜き矢印エで示すように、画像の暗側ピークを明側に若干ずらした形になっている。
【００４９】
このようにしても、第一の画面１（暗画像）から第二の画面２（明画像）に切り替わって一瞬の幻惑を感じさせる可能性がある場合には、明画像用ヒストグラムを使用することによって、変更後画像の明側ピークが暗側に若干ずらされるため、前記の実施形態と同様に、第二の画面２のハイライト部分である白背景部分の輝度が低下し、その結果、やや灰色がかった背景色（図５のハッチング参照）となって、やはり、人の目に優しく映るようになり、第二の画面２に含まれる文字情報等を読みやすくすることができる。
【００５０】
なお、以上の各実施形態では、投影画像の輝度の変化方向を判定（図４、図６及び図７のステップＳ５参照）して、その変化方向が「暗→明」の場合に、光源３５の明るさを下げたり（図４のステップＳ６参照）、明画像用ガンマ補正特性や明画像用ヒストグラムを用いたりし（図６及び図７のステップＳ６ａ、ステップＳ６ｂ参照）、一方、その変化方向が「明→暗」の場合に、光源３５の明るさを元の初期値に戻したり（図４のステップＳ７参照）、暗画像用ガンマ補正特性や暗画像用ヒストグラムを用いたり（図６及び図７のステップＳ７ａ、ステップＳ７ｂ参照）しているが、この態様に限定されない。たとえば、投影画像の輝度の変化方向が「暗→明」に変化して、上記の所要の補正（光源３５の明るさを下げる、明画像用ガンマ補正特性を用いる、又は明画像用ヒストグラムを用いる）を行った後、投影画像の「明→暗」への変化を待たずに、所定時間を経過した時点で、光源３５の明るさを元の初期値（明るさ補正前の状態）に戻したりしてもよい。これは、人の目に幻惑を感じさせるのは、投影画像の輝度の変化方向が「暗→明」に変化した直後の短い時間だけであり、その時間を経過すれば、以降は人の目は明るい画像に慣れて文字等の判読に支障を来さないからである。
【図面の簡単な説明】
【００５１】
【図１】本実施形態のシステム構成図である。
【図２】パーソナルコンピュータＰＣｉの簡略ブロック図である。
【図３】プロジェクタ５の内部ブロック図である。
【図４】プロジェクタ５の中央制御部２７で実行される制御プログラムの要部のフローチャートを示す図である。
【図５】本実施形態の作用説明図である。
【図６】第一の変形例を示す図である。
【図７】第二の変形例を示す図である。
【図８】一瞬の幻惑を感じさせる画面変化の一例を示す図である。
【符号の説明】
【００５２】
Ｓ２  ステップ（検知工程）
Ｓ４  ステップ（判定工程）
Ｓ５  ステップ（判定工程）
Ｓ６  ステップ（補正工程）
１  第一の画面（投影画像）
２  第二の画面（投影画像）
２０  プロジェクタ（表示制御装置）
２７  中央制御部（検知手段、判定手段、補正手段）
３５  光源
３５ａ  光源駆動部（補正手段）
【図１】
0005459569.tif 000002
【図２】
0005459569.tif 000003
【図３】
0005459569.tif 000004
【図４】
0005459569.tif 000005
【図５】
0005459569.tif 000006
【図６】
0005459569.tif 000007
【図７】
0005459569.tif 000008
【図８】
0005459569.tif 000009